(57)【要約】      （修正有）【課題】所定のネットワークサービスを利用でき、さらにユーザ同士が文書情報を共有でき、事前設定をユーザが行うことなくメールを利用でき、さらに効果的な広告表現を実現する。【解決手段】着脱式デバイスを接続可能なユーザコンピュータは、所定の種類の機器が接続されると、所定のクライアントプログラムを実行する機能を有し、主な記憶装置に個々のデバイスを一意に識別可能な情報であるデバイスＩＤを含むデバイス情報と、認証情報と、を格納し、センターサーバーシステムは、クライアントから送信される前記デバイス情報と前記認証情報に応じて所定の認証処理を実施した後、前記クライアント情報の内容に応じてグラフィック要素に予め対応した前記センターサーバーシステム、または、前記その他サーバに、一部または全ての情報を送信することによって、送信先のサーバにおいて所定の認証処理を実施できるシステムを提供する。【選択図】図１
2006072952.tif 000002
【特許請求の範囲】
【請求項１】
少なくともユーザコンピュータと、着脱式デバイスと、センターサーバーシステムと、その他サーバから成り、前記ユーザコンピュータは、少なくとも所定の種類の機器が接続されると、接続された機器に記憶された、あるいはその機器に関連付けされた所定の記憶領域に存在する一つまたは複数の所定のクライアントプログラムを実行する機能を有し、前記着脱式デバイスは、前記ユーザコンピュータの汎用周辺機器インタフェースに着脱され、前記ユーザコンピュータとの通信制御手段と、主な記憶装置としてＲＯＭ又は読み書き可能な記憶領域のいずれか一方あるいは両方と、を備えた着脱式デバイスであって、前記主な記憶装置は、少なくとも、前記クライアントプログラムの一部又は全部と、個々のデバイスを一意に識別可能な情報であるデバイスＩＤを含むデバイス情報と、認証情報と、を格納し、前記認証情報には、パスワード情報と、証明書情報と、生体生理情報と、を少なくとも一つ以上を含む着脱式デバイスであって、前記センターサーバーシステムは、前記クライアントプログラムから送信される少なくとも前記デバイス情報と前記認証情報に応じて所定の認証処理を実施した後、前記センターサーバーシステムが具備するデータベースに対し、情報検索・情報処理を実施し、情報を取得した後、取得した情報を、クライアント情報として、前記クライアントプログラムに送信する機能を有し、前記クライアントプログラムは、所定のタイミングで、前記センターサーバーシステムに、少なくとも前記デバイス情報と、前記認証情報と、を送信し、結果、前記センターサーバーシステムから前記クライアント情報を受信でき、前記クライアント情報の内容に応じて前記ユーザコンピュータ上で実行されているプログラム（前記クライアントプログラムを含む）の、少なくともグラフィック要素を変化させることができ、さらにユーザが行う前記グラフィック要素に対する所定の操作に応じ、グラフィック要素に予め対応した前記センターサーバーシステム、または、前記その他サーバに、前記デバイス情報・前記認証情報・前記クライアント情報の内、一部または全ての情報を送信することによって、送信先のサーバにおいて所定の認証処理を実施できることを特徴とする着脱式デバイスを用いたネットワークサービスシステム。
【請求項２】
前記センターサーバーシステムは、前記クライアントプログラムから送信された前記デバイス情報を用いて個々のデバイスを識別し、識別されたデバイスに予め関連付けされた視覚的・音声的要素を伴う広告情報、又は前記広告情報が存在するアドレスを示す広告所在情報を、前記クライアント情報の一部として前記クライアントプログラムに送信し、前記クライアントプログラムは、受信した前記クライアント情報に含まれる前記広告情報又は前記広告所在情報を取得し、取得した情報が広告所在情報の場合は、広告所在情報の示すアドレスに存在する広告情報を取得し、さらに取得した広告情報を、所定のタイミングで、ユーザコンピュータ上で表現できることを特徴とする請求項１に記載のシステム。
【請求項３】
前記広告情報には、ハイパーリンク情報を含み、前記ハイパーリンク情報に関連付けされたグラフィック要素に対し、ユーザが所定の操作を行うことにより、前記クライアントプログラムは、前記ハイパーリンク情報に含まれるインターネットアドレスに存在するハイパーリンク先サーバに、少なくとも、前記デバイス情報・前記認証情報の一部又は全部を送信した後、前記ハイパーリンク先サーバから情報を受信し、受信した情報を所定のタイミングで前記ユーザコンピュータ上でグラフィック要素として表現できることを特徴とする請求項１と２に記載のシステム。
【請求項４】
前記センターサーバーシステムは、前記クライアントプログラムを介してユーザが送信する文書情報を受け付けるとともに、ユーザからの要求に応じて前記文書情報の管理情報の閲覧を行わせる情報管理手段と、前記情報管理手段に送信された文書情報を所定の領域に格納する情報保存手段と、前記情報管理手段に送信された文書情報の属性情報と他の文書情報との関係を示す関係情報とを判定し前記属性情報および関係情報とを格納する関係保存手段と、前記情報管理手段に送信された文書情報の解析に用いるためのキーワードを格納するキーワード保存手段と、前記キーワード保存手段に格納されたキーワードに基づいて前記情報管理手段に送信された文書情報に含まれるキーワードを検索するキーワード検索手段と、ユーザからの要求に応じて所定の領域に存在する文書情報を前記クライアントプログラムに送信する情報通信手段と、第１のユーザは予めグループ化されたグループに所属し、該グループに所属する一人または複数の第２のユーザと文書情報を共有する情報共有手段と、前記第２のユーザに対し、前記第１のユーザから文書情報の送信があった旨の通知を行う情報通知手段と、を備えることを特徴とする請求項１から３に記載のシステム。
【請求項５】
前記クライアント情報には、少なくとも、メール送信用サーバーアドレスと、メール受信用サーバーアドレスと、ユーザアカウント情報と、メールパスワード情報から成るメールアカウント情報を含み、前記メールアカウント情報のうち、少なくとも一つは、前記デバイスＩＤ毎に予め設定されたデバイスメールアカウント情報であり、前記クライアントプログラムは、電子メール機能を備え、前記メールアカウント情報を受信することで、所定の電子メールサービスを実施できることを特徴とする請求項１から４に記載のシステム。
【発明の詳細な説明】
【技術分野】
【０００１】本発明は、着脱式デバイスに内蔵されたデバイスＩＤ情報により、ネットワークシステムにおいて容易に認証処理を実施できる、着脱式デバイスを用いたネットワークサービスシステムに関し、より詳しくは、少なくともユーザコンピュータと、着脱式デバイスと、センターサーバーシステムと、その他サーバから成り、前記ユーザコンピュータは、少なくとも所定の種類の機器が接続されると、接続された機器に記憶された、あるいはその機器に関連付けされた所定の記憶領域に存在する一つまたは複数の所定のクライアントプログラムを実行する機能を有し、前記着脱式デバイスは、前記ユーザコンピュータの汎用周辺機器インタフェースに着脱され、前記ユーザコンピュータとの通信制御手段と、主な記憶装置としてＲＯＭ又は読み書き可能な記憶領域のいずれか一方あるいは両方と、を備えた着脱式デバイスであって、前記主な記憶装置は、少なくとも、前記クライアントプログラムの一部又は全部と、個々のデバイスを一意に識別可能な情報であるデバイスＩＤを含むデバイス情報と、認証情報と、を格納し、前記認証情報には、パスワード情報と、証明書情報と、生体生理情報と、を少なくとも一つ以上を含む着脱式デバイスであって、前記センターサーバーシステムは、前記クライアントプログラムから送信される少なくとも前記デバイス情報と前記認証情報に応じて所定の認証処理を実施した後、前記センターサーバーシステムが具備するデータベースに対し、情報検索・情報処理を実施し、情報を取得した後、取得した情報を、クライアント情報として、前記クライアントプログラムに送信する機能を有し、前記クライアントプログラムは、所定のタイミングで、前記センターサーバーシステムに、少なくとも前記デバイス情報と、前記認証情報と、を送信し、結果、前記センターサーバーシステムから前記クライアント情報を受信でき、前記クライアント情報の内容に応じて前記ユーザコンピュータ上で実行されているプログラム（前記クライアントプログラムを含む）の、少なくともグラフィック要素を変化させることができ、さらにユーザが行う前記グラフィック要素に対する所定の操作に応じ、グラフィック要素に予め対応した前記センターサーバーシステム、または、前記その他サーバに、前記デバイス情報・前記認証情報・前記クライアント情報の内、一部または全ての情報を送信することによって、送信先のサーバにおいて所定の認証処理を実施できることを特徴とする着脱式デバイスを用いたネットワークサービスシステムに関する。
【背景技術】
【０００２】近年のインターネットの急激な普及により、自宅やオフィスに設置した端末や携帯端末を用いて、インターネット上で提供されているサービスを容易に享受できるようになってきた。インターネット上で提供されているサービスは、インターネットバンキング、証券取引、オンラインショッピング、情報検索など、多岐に渡っている。これらサービスを提供するサービスサイトには、パスワードやユーザＩＤなどの認証情報により、ユーザを認証するものがある。【０００３】このような認証を要するサイトにログインするためには、ユーザは端末から認証情報をサーバに送信し、サーバ側で認証用に予め登録してある情報と照合することにより行う。このため一般に、このようなサイトにログインする場合、ユーザはログイン画面からパスワードやユーザＩＤなどを入力してサーバに送信する。【０００４】ところで、パスワードなどによる認証方法は、パスワードが第三者に漏れるなど容易に成りすましなどを行うことができるため、セキュリティ面で必ずしも十分と言えない場合があった。また、接続するサーバの数が増えるにつれ、ユーザが記憶しなければならないユーザＩＤ・パスワードが増え、その結果、ユーザＩＤ・パスワードを忘れてしまうという結果になりがちであった。そのため、多くの個人は、自分自身がその文字列を忘れないために単純な単語や、それ自身意味を持つ言葉の組み合わせをパスワードとして使用していることがあるため、機械的に辞書の単語等を組み合わせ、パスワードを検索し正当な利用者に成りすまし不正使用することが比較的容易であり、安全性に欠ける。【０００５】そこで、これらの問題を防ぐ方法として、特開平８−１６７８８号公報（公知例１と呼ぶ）などでは、網膜や音声、指紋等、各個人の遺伝子的情報によりユーザの認証を行う方法が考えられている。【０００６】これらの遺伝子情報は各個人によって全てデータが異なるため、正当な利用者に成りすますことが困難である上、第三者は容易にこれらの情報を盗み、複製を作成することが出来ないため、システムの安全性を高めることが可能である。【０００７】また、特開平１０−２６９１８２公報（公知例２と呼ぶ）では、パスワードを入力装置から入力する際のタイミング等個人の癖を学習することで認証精度を高めようとしている。
【発明の開示】
【発明が解決しようとする課題】
【０００８】しかしながら、上記公知例１の方法は、個人の特徴を取得するために複雑かつ高価なシステム装置が必要となる上、個人を認証するために必要なデータベースの情報量が膨大になる問題がある。【０００９】また、公知例２では、個人の癖を学習するために、数多くの試行が必要であり、同一の個人であっても、入力のタイミングは画一ではないため、誤判定の危険性を完全に排除することが難しい。【００１０】また、従来の技術では、専用ソフトウェアを手動で起動し、ユーザが手入力でユーザＩＤとパスワードを入力する必要があった。専用ソフトウェアの起動作業や、ユーザＩＤ・パスワードの入力は、初心者にとって困難であることが多く、結果使いにくいシステムとなってしまう。【００１１】本発明ではこれらの問題を省みて、所定のデバイスが挿入された際に、所定のプログラムが自動的に起動するため、ユーザの手間が軽減される。また、着脱可能なデバイス内に個々のデバイスを識別可能なデバイスＩＤや、パスワード情報、証明書情報、などを格納し、それらの情報に基づき、認証処理を行う方式をとっているため、複雑かつ高価なシステム装置は不要となり、ユーザが所定のサーバにログインするためのユーザＩＤとパスワードの入力を不要とするシステムを実現する。【００１２】また、インターネットに代表される電子通信情報は現代におけるマス・コミュニケーションの主役の１つになりつつあり、バナー広告、ポップアップ広告、無料接続の常時表示広告、アフィリエイトプログラムなど、いろいろな広告手法が提案されている。このような広告は、ユーザを広告や電子商取引サイトへ誘導したり、ユーザをいわゆるクッキー情報で識別することにより、そのユーザの属性に合わせた内容の広告を表示したりするものであった。
しかしながら、上記のような従来の広告手法では、まず、バナー等広告の露出が、ユーザによるウェブブラウザの起動に全面的に依存していた。このため、ブラウザの起動に先立って広告表示はできず、逆に、ブラウザを起動した後はユーザの関心はすでに何らかのウェブサイト閲覧に向いている。したがって、広告は、強制的に見せられるわずらわしいものという印象を与え、バナー等の広告は関心を持たれず無視されがちで、むしろ強制的な邪魔者としてうっとうしがられる自己矛盾があった。さらに、クッキー情報とユーザの属性を効果的に結び付けることも実際は難しいため、従来技術での広告では、事前同意登録に基づくオプトインでもなく、事前に拒否登録可能なオプトアウトでもなく、結果的に無差別的なものとなり、効果的な広告は困難であった。
これらに加え、ユーザが他人のコンピュータを借りる場合は、クッキー情報によるユーザ識別が本来の機能を果たさないため、効果的な広告はいっそう困難であった。【００１３】本発明では、前述したようにデバイスを挿入した際に自動的にプログラムが起動される。この強みを生かし、当該発明によるプログラムのグラフィック要素に広告情報を表現することで、ユーザにとって目に付きやすい広告表現が可能となり、さらに表示される広告内容は、画一的なものはなく、挿入したデバイスのデバイスＩＤに関連付けされたユーザの、趣味・嗜好・年齢・性別・地域・履歴情報などのユーザプロフィール情報に基づき、ユーザの興味・関心が高い広告情報を表示することが可能である。ユーザプロフィール情報を利用しない場合でも、挿入されたデバイスＩＤ毎に異なった広告表現が可能であるため、例えばデバイスＩＤが１〜１０００までは航空会社の広告、デバイスＩＤが１００１〜２００１までは飲料会社の広告というように、デバイスＩＤに応じて異なった広告情報を表現することが可能となる。【００１４】また各デバイスが個々のデバイスを識別可能なデバイスＩＤを持つことにより、当該デバイスを所有するユーザを識別でき、第１のユーザが所属する所定のグループがあり、該グループに所属する一人又は複数の第２のユーザと、文書情報（ファイル情報、テキスト情報、ＵＲＬ情報、システム情報、証明書情報、暗号・復号化情報、画像情報、音声情報、動画情報）などを共有することが可能である。従来の文書情報共有システムでは、システム利用時には、ユーザＩＤとパスワードが必要であったが、本提案によるシステムでは、上述した認証方式の採用により、ユーザＩＤとパスワードを入力する必要がないため、初心者にとって非常に使いやすいシステムとなる。
【課題を解決するための手段】
【００１５】上記目的を達成するために、本発明における第１の発明は、少なくともユーザコンピュータと、着脱式デバイスと、センターサーバーシステムと、その他サーバから成り、前記ユーザコンピュータは、少なくとも所定の種類の機器が接続されると、接続された機器に記憶された、あるいはその機器に関連付けされた所定の記憶領域に存在する一つまたは複数の所定のクライアントプログラムを実行する機能を有し、前記着脱式デバイスは、前記ユーザコンピュータの汎用周辺機器インタフェースに着脱され、前記ユーザコンピュータとの通信制御手段と、主な記憶装置としてＲＯＭ又は読み書き可能な記憶領域のいずれか一方あるいは両方と、を備えた着脱式デバイスであって、前記主な記憶装置は、少なくとも、前記クライアントプログラムの一部又は全部と、個々のデバイスを識別可能な情報であるデバイスＩＤを含むデバイス情報と、認証情報と、を格納し、前記認証情報には、パスワード情報と、証明書情報と、生体生理情報と、を少なくとも一つ以上を含む着脱式デバイスであって、前記センターサーバーシステムは、前記クライアントプログラムから送信される少なくとも前記デバイス情報と前記認証情報に応じて所定の認証処理を実施した後、前記センターサーバーシステムが具備するデータベースに対し、情報検索・情報処理を実施し、情報を取得した後、取得した情報を、クライアント情報として、前記クライアントプログラムに送信する機能を有し、前記クライアントプログラムは、所定のタイミングで、前記センターサーバーシステムに、少なくとも前記デバイス情報と、前記認証情報と、を送信し、結果、前記センターサーバーシステムから前記クライアント情報を受信でき、前記クライアント情報の内容に応じて前記ユーザコンピュータ上で実行されているプログラム（前記クライアントプログラムを含む）の、少なくともグラフィック要素を変化させることができ、さらにユーザが行う前記グラフィック要素に対する所定の操作に応じ、グラフィック要素に予め対応した前記センターサーバーシステム、または、前記その他サーバに、前記デバイス情報・前記認証情報・前記クライアント情報の内、一部または全ての情報を送信することによって、送信先のサーバにおいて所定の認証処理を実施できることを特徴としている。【００１６】また、本発明における第２の発明は、前記センターサーバーシステムは、前記クライアントプログラムから送信された前記デバイス情報を用いて個々のデバイスを識別し、識別されたデバイスに予め関連付けされた視覚的・音声的要素を伴う広告情報、又は前記広告情報が存在するアドレスを示す広告所在情報を、クライアント情報の一部として前記クライアントプログラムに送信し、前記クライアントプログラムでは、受信した前記クライアント情報に含まれる前記広告情報又は前記広告所在情報を取得し、取得した情報が広告所在情報の場合は、広告所在情報の示すアドレスに存在する広告情報を取得し、取得した広告情報を、所定のタイミングで、ユーザコンピュータ上で表現できることを特徴としている。【００１７】また、本発明における第３の発明は、前記広告情報には、ハイパーリンク情報を含み、前記ハイパーリンク情報に関連付けされたグラフィック要素に対しユーザが所定の操作を行うことにより、前記クライアントプログラムは、前記ハイパーリンク情報に含まれるインターネットアドレスに存在するハイパーリンク先サーバに、情報要求コマンドと、前記デバイスＩＤ情報・前記認証情報の一部又は全部と、を送信した後、前記ハイパーリンク先サーバから情報を受信し、受信した情報を所定のタイミングで、前記ユーザコンピュータ上でグラフィック要素として表現できることを特徴としている。【００１８】また、本発明における第４の発明は、前記センターサーバーシステムは、前記クライアントプログラムを介してユーザが送信する文書情報を受け付けるとともに、ユーザからの要求に応じて、前記文書情報の管理情報の閲覧を行わせる情報管理手段と、前記情報管理手段に送信された文書情報を所定の領域に格納する情報保存手段と、前記情報管理手段に送信された文書情報の属性情報と他の文書情報との関係を示す関係情報とを判定し前記属性情報および関係情報とを格納する関係保存手段と、前記情報管理手段に送信された文書情報の解析に用いるためのキーワードを格納するキーワード保存手段と、前記キーワード保存手段に格納されたキーワードに基づいて前記情報管理手段に送信された文書情報に含まれるキーワードを検索するキーワード検索手段と、ユーザからの要求に応じて、所定の領域に存在する文書情報を前記クライアントプログラムに送信する情報通信手段と、第１のユーザは、予めグループ化されたグループに所属し、該グループに所属する一人または複数の第２のユーザと文書情報を共有する情報共有手段と、前記第２のユーザに対し、前記第１のユーザから文書情報の送信があった旨の通知を行う情報通知手段と、を備えることを特徴としている。【００１９】また、本発明における第５の発明は、前記クライアント情報には、少なくとも、メール送信先サーバーアドレスと、メール受信先サーバーアドレスと、ユーザアカウント情報と、メールパスワード情報から成るメールカウント情報を含み、前記メールアカウント情報のうち、少なくとも一つは、前記デバイスＩＤ毎に予め設定されたデバイスメールアカウント情報であり、前記クライアントプログラムは、電子メール機能を備え、前記メールアカウント情報を受信することで、所定の電子メールサービスを実施できることを特徴としている。
【発明の効果】
【００２０】本発明では所定のデバイスが挿入された際に、所定のプログラムが自動的に起動するため、ユーザの手間が軽減される。また、着脱可能なデバイス内に個々のデバイスを識別可能なデバイスＩＤや、パスワード情報、証明書情報、などを格納し、それらの情報に基づき認証処理を行う方式をとっているため、複雑かつ高価なシステム装置は不要となり、ユーザが、所定のサーバにログインする際、ユーザＩＤとパスワードの入力を不要とするシステムを実現した。【００２１】本発明では、前述したようにデバイスを挿入した際に自動的にプログラムが起動される強みを生かし、当該発明によるプログラムのグラフィック要素に広告情報を表現することで、ユーザにとって目に付きやすい広告表現が可能となり、さらに表示される広告内容は、挿入したデバイスのデバイスＩＤに関連付けされたユーザの、趣味・嗜好・年齢・性別・地域・履歴情報などのユーザプロフィール情報に基づき、ユーザの興味・関心が高い広告情報を表示することを実現した。前記、ユーザプロフィール情報を利用しない場合でも、挿入されたデバイスＩＤ毎に異なった広告表現が可能であるため、例えばデバイスＩＤが１〜１０００までは航空会社の広告、デバイスＩＤが１００１〜２００１までは飲料会社の広告というように、デバイスＩＤに応じて異なった広告情報を表現することを実現した。【００２２】さらに、各デバイスが個々のデバイスを識別可能なデバイスＩＤを持つことにより、当該デバイスを所有するユーザを識別でき、第１のユーザが所属する所定のグループがあり、該グループに所属する一人又は複数の第２のユーザと、文書情報（ファイル情報、テキスト情報、ＵＲＬ情報、システム情報、証明書情報、暗号・復号化情報、画像情報、音声情報、動画情報）などを共有する機能を実現した。【００２３】また、当該発明によるプログラムはメール機能を備え、デバイスＩＤ毎に予め設定されたメールアカウント情報をサーバ上に準備しておき、プログラムは前記メールアカウント情報を取得することにより、設定を行うことなく、すぐにメールサービスを利用でき、さらにユーザが任意のメールアカウント情報を追加することにより、追加したメールアカウント情報をも用いてメールサービスを利用できる機能を実現した。
【発明を実施するための最良の形態】
【００２４】以下に、本発明によるシステムの好適な一形態を、図面を参照して具体的に説明する。尚、本形態は、専用ＬＳＩ上のワイヤードロジックやプログラム等により実現できるが、この場合のハードウェアやプログラムの実現態様は各種変更可能であるから、以下の説明では、本発明及び各実施形態の各機能を実現する仮想的回路ブロック図を用いる。本形態では、コンピュータに着脱式デバイスを挿入するだけで、自動的にプログラムが起動し、該プログラムは、メール機能と、ファイルの暗号化機能及び復号化機能と、所定の認証を必要とするＷＥＢサイトへのワンクリックログイン機能と、第１ユーザは所定のグループに所属し、該グループに所属する一人以上の第２ユーザと所定の文書情報（ファイル情報・テキスト情報・スケジュール情報・お気に入り情報（閲覧頻度の高いＷＥＢサイトＵＲＬ）・アドレス情報、画像情報、動画情報）を共有する機能と、を少なくとも備え、該プログラムは、着脱式デバイスに格納された、個々のデバイスを識別可能なデバイスＩＤを少なくとも用いて、ユーザの利用するコンピュータとネットワーク通信網を介し接続されたセンターサーバ上に存在する情報を取得することで、上記に示した機能を実現する。【００２５】まず、図１は本形態の概略構成を示す機能ブロック図である。パソコン２は、汎用周辺機器インタフェースとしてＵＳＢ接続インタフェース（図示せず）を備える。着脱式デバイス１は、ＵＳＢ接続インタフェース（図示せず）を備え、パソコン２が備えるＵＳＢ接続インタフェースに接続する事で、パソコン２と接続される。パソコン２はネットワークＮにアクセス可能である。【００２６】オペレーティングシステム（以下、ＯＳと略記）によっては（例えばマイクロソフト（登録商標）社のウインドウズ（登録商標）シリーズ）、所定の種類のデバイス（例えばＣＤ−ＲＯＭドライブ）にメディアが挿入された事を契機として、そのメディア上の所定のスクリプトファイル（例えば「ａｕｔｏｒｕｎ．ｉｎｆ」）を自動的に実行する。パソコン２は、そのようなＯＳを備えるコンピュータであるものとする。また、ＵＳＢでは、ホスト側は、ＵＳＢに装着されたデバイスに対し、機器の種類の問い合わせ信号を流し、ＵＳＢに装着されたデバイスは、この問い合わせ信号に対して自分が該当する機器の種類を回答する事により、ホスト側に自らの接続を認識させる。そこで、着脱式デバイス１は、ＵＳＢに接続された際に、ホスト側からの機器の種類の問い合わせ信号に対し、ＣＤ−ＲＯＭドライブである旨の信号を擬似的に返信する。すなわち着脱式デバイス１は、本来、スクリプト自動実行の対象とはならない種類の機器であるが、ホスト側からの問い合わせに対し、着脱式デバイス１は、ＣＤ−ＲＯＭドライブなどスクリプト自動実行の対象機器である旨の信号を擬似的に返信する。また、上記のようなＯＳには、メディアの装着の有無を繰返しデバイスに問い合わせて回答させ、ある時点で存在しなかったものが、その後、存在する状態に変化すると、メディアが挿入されたと認識するものもある。そして、上に説明したように、コンピュータによるスクリプト実行の対象である所定の機器（例えばＣＤ−ＲＯＭドライブ）と着脱式デバイス１に回答させた場合、実際の機器と異なってメディアの挿入は行われないが、メディアの有無の問い合わせに対しては、着脱式デバイスが、挿入と同じパターンの信号を擬似的に返信する事で、メディアが挿入と同じパターンの信号を擬似的に返信する事で、メディア挿入がスクリプト実行の条件となっている場合もスクリプトが円滑確実に実行される。すなわち、着脱式デバイス１は、パソコン２内のＵＳＢホストコントローラからＵＳＢ経由で繰返されるメディアの有無の問い合わせ信号に対し、少なくとも一度はメディアが無い旨の信号を返信し、その後、例えば２度目の問い合わせに対しては、メディアが有る旨の信号を返信する。すると、パソコン２上のＯＳはメディアが挿入されたと認識し、着脱式デバイスに記憶された自動起動スクリプトを実行する。ここでスクリプト実行の対象となる「所定の種類」の機器は、仮に「ＣＤ−ＲＯＭドライブ」であるものとするが、対象を他の種類の機器に変更したり拡大することも自由である。【００２７】本発明では、自動起動スクリプト中に自動起動プログラム（以下、Ａｕｔｏｒｕｎと表記）の実行を指定しておく。なお、Ａｕｔｏｒｕｎからさらにブラウザやメーラー等のアプリケーション等、他のプログラムを派生的に呼び出すことも当然可能であり、そのように派生的に呼び出されるプログラムも以下、Ａｕｔｏｒｕｎと呼ぶ。【００２８】また、プログラムを自動起動する従来の手法として、パソコンが起動した際に自動的に起動するように設定された、所定の着脱式デバイスの挿入を感知する感知プログラムを事前にインストールしておき、前記感知プログラムが所定の着脱式デバイスの挿入を感知した時に、所定の領域に存在するＡｕｔｏｒｕｎを起動するという方法もあり、この方法を用いてＡｕｔｏｒｕｎを自動起動することもありうる。【００２９】起動したＡｕｔｏｒｕｎは、所定のタイミングで着脱式デバイス１にアクセスし、デバイス情報、認証情報を取得する。デバイス情報の一例を表１にしめす。デバイス情報のうち、デバイスＩＤには、着脱式デバイスひとつひとつに対して一意な番号（デバイスＩＤ）が格納されているため、デバイスＩＤを確認することで、デバイスを個別に識別することが可能となる。デバイスＩＤは、例えば連番情報や、乱数情報や、センターサーバ上で生成されたサーバ発行ＩＤの内、一つ、又は複数の情報を組み合わせて構成されることが考えられる。またデバイスＩＤは、恒久的な固定番号である必要は必ずしもなく、他のデバイスと重複さえしなければ、所定のタイミングでデバイスＩＤの一部又は全部が変更することも考えられる。前記認証情報には、パスワード情報、秘密鍵情報、証明書情報、生体生理情報（指紋情報・声紋情報・網膜情報、顔面画像情報、身体形状情報、虹彩情報、その他）、時間情報、の一部、または全部が格納されている。また、認証情報の取得・処理には、デバイス２内にセキュリティチップを搭載することも考えられる。
【表１】
2006072952.tif 000003
【００３０】前記デバイス情報と、前記認証情報と、の一部又は全部は暗号化された状態で着脱式デバイス１内に存在する記憶領域に保存される。さらに、前記デバイス情報と、前記認証情報と、の一部又は全部は、着脱式デバイス１内の不可視記憶領域に格納されており、ユーザは通常、パソコン２で実行可能な標準ファイルビューアソフトウェア（例えば、ウインドウズ（登録商標）では、エクスプローラ）などでは、該不可視領域に格納された情報を見ることは出来ないし、削除などもできない。【００３１】Ａｕｔｏｒｕｎは、パソコン２のＯＳ情報、ユーザ権限情報（例えばアドミニストレータ権限の有無等）、ネットワーク環境情報等を取得し、その後、センターサーバ３にアクセスし、センターサーバ３の記憶領域に存在するプログラムファイルを取得し、パソコン２上で、取得したプログラムファイルを実行する。（以降、Ａｕｔｏｒｕｎとは、ここで取得・実行したプログラムファイルも含まれる。）この時に取得するプログラムファイルは、パソコン２のＯＳ情報、ユーザ権限情報（例えばアドミニストレータ権限の有無等）、ネットワーク環境情報等に基づき、もつとも適したプログラムファイルをＡｕｔｏｒｕｎが取得できるよう、センターサーバ３上が取得プログラムファイル振り分け機能を備えることもできる。【００３２】次に、Ａｕｔｏｒｕｎはパソコン２の画面上に暗証情報入力画面（図２）のグラフィック要素を表示する。ユーザは、パソコン２の入力装置を使って、暗証情報入力枠６に、暗証情報を入力し、認証ボタン７をクリックする。このように、暗証情報の入力方法として、ユーザが頭脳に記憶していた所定のパスワードを入力する方法と、例えば、デバイス２内に格納された認証情報を用いる方法と、パソコン２に接続された生体情報を入力可能なデバイスからユーザの所定の生体情報を入力する方法と、デバイス２内にセキュリティチップを搭載し、該セキュリティチップが備える機能を用いた方法と、が考えられ、それらの方法の一つ又は複数を組み合わせ、暗証情報とすることが考えられる。尚、この暗証情報入力による認証は、前記着脱式デバイス１を遺失した時など不正利用されないよう、ユーザが任意に設定するものであり、設定により省略することも可能である。Ａｕｔｏｒｕｎはユーザが認証ボタン７をクリックしたことを感知すると、着脱式デバイス１に格納されている前記デバイス情報と前記認証情報と入力された暗証情報とをセンターサーバ３へ送信する。【００３３】センターサーバ３では、上述したデバイス情報、認証情報、暗証情報を受信すると、その受信した情報を用いて、所定の認証処理を行った後、具備するデータベースシステム４より、受信したデバイス情報に含まれるデバイスＩＤに基づいて、該当するユーザ情報を検索する。デバイスＩＤが存在しない場合、又は認証処理に失敗した場合、センターサーバ３は、Ａｕｔｏｒｕｎにエラー応答情報を送信する。デバイスＩＤが存在する場合、センターサーバ３はデータベースシステム４からユーザ情報を抽出・情報処理を行った後、その情報を正常応答情報としてＡｕｔｏｒｕｎに送信する。【００３４】Ａｕｔｏｒｕｎは、センターサーバ３からの前記応答情報を受信し、エラー応答情報であれば、エラーメッセージを表示する。前記エラー応答情報が、ユーザが入力した暗証情報のエラーを通知する内容であれば、暗証情報入力画面に暗証情報エラーを通知するメッセージを表示し、ユーザに再入力を促す。正常応答情報であれば、前記正常応答情報の内容と、着脱式デバイス２に記録されたデバイス情報・認証情報とが所定の規則性において妥当性があるものかどうか検証する。【００３５】検証結果、問題がなければ、数秒間、全画面表示で、所定のスポンサ広告Ａ（図示せず）を表示する。前記スポンサ広告Ａは、Ａｕｔｏｒｕｎ起動時に毎回表示されるため、ユーザにとって非常に高い視認性を持つことができる。【００３６】前記スポンサ広告Ａは、一定時間経過、またはユーザの所定の操作により、消去し、その後、メイン画面（図３）が表示される。メイン画面（図３）は、概ねスポンサ広告枠８、メニュー枠９、作業枠１０の３つに分けることができる。【００３７】スポンサ広告枠８には、契約したスポンサ広告Ｂ１１が表示される。前記スポンサ広告Ｂ１１はメイン画面（図３）が表示されている時は常にスポンサ広告枠８に表示されているため、視認性がよく広告効果が非常に高い。【００３８】スポンサ広告Ａ及びスポンサ広告Ｂ１１では、視覚的な画像情報・動画情報だけではなく、音声情報をも表現することが考えられる。【００３９】本発明は、スポンサ広告Ａ及びスポンサ広告Ｂ１１で表示される広告情報又は広告所在情報は、広告情報をデバイス内に格納する方法と異なり、前記データベースシステム４によって設定された内容に基づき、パソコン２に接続されたデバイス毎に異なった広告内容を、パソコン２上で視覚的・音声的に伝達する。すなわち、データベースシステム４に、予めその着脱式デバイスの持ち主の興味や個人情報を登録することにより、その情報に合わせて自由に設定できるので、効果的な広告情報の表示が可能となる。【００４０】また、Ａｕｔｏｒｕｎが受信した情報が広告所在情報であった場合、受信した広告所在情報にデバイス情報や認証情報などを付加して、広告所在情報の示す所定のサーバにアクセスすることにより、アクセス先のサーバにログインした上で、ログインした所定の広告情報をＡｕｔｏｒｕｎが受信し、その情報をパソコン２上のグラフィック要素に表現することが考えられる。すなわち、広告情報がパソコン２に表示されている時には、既に所定のサーバにログイン完了していることが可能となる。この場合、例えばログイン対象サーバが通信販売ＷＥＢサイトであれば、ログインしたユーザの購入履歴やポイント数等の情報、又はそれらの情報を取得できるよう記述されたスクリプト構文を、広告情報に含めＡｕｔｏｒｕｎに送信することができる。【００４１】また、スポンサ広告Ａ及びスポンサ広告Ｂ１１には、ハイパーリンク機能を組み込むことが可能であり、ユーザが所定の操作を行うことにより、前記ハイパーリンク機能により設定されたインターネットアドレスに存在するその他サーバ５（又はセンターサーバ３）に、アクセスすることが可能である。この際、サーバにアクセスするためのコマンドパラメータに、前記デバイス情報、前記認証情報、前記クライアント情報などを含めることにより（例えば：ｈｔｔｐ：／／ｘｘｘ．ｃｏ．ｊｐ／ｐｒ．ｃｇｉ？ｄｅｖ＿ｉｄ＝１００００００００１＆ｐａｓｓ＝ｘｘｘｘ＆ｃｍｄ＝ｒｅａｄ）、アクセス先のサーバ側で、例えば、閲覧者一人一人に異なった表示内容のＷＥＢページの提供、アクセス解析への利用、自動認証ログインなどを実施することが考えられる。上記のＵＲＬの例は、ＧＥＴメソッドであるが、その他ＰＯＳＴメソッドでの送信、ＨＴＴＰヘッダに含めての送信なども考えられる。アクセスしたサーバが、ＷＥＢページ情報を返信した場合には、その情報をメイン画面の広告枠内または作業枠内又はＷＥＢブラウザで表示する。【００４２】メニュー枠９には、本システムで利用が可能な機能のメニューが表示されている。ユーザは、この枠の所定のメニューをクリックすることでその機能を利用することができる。本システムの機能を表２に示す。
【表２】
2006072952.tif 000004
【００４３】以下、メール機能について説明する。従来、パソコン上でのメール機能の実施は、メールソフトに予めユーザアカウント・メールパスワード・ＳＭＴＰサーバーアドレス・ＰＯＰサーバーアドレス等のメールを利用するための情報（メールアカウント情報）を設定する必要があった。この作業をパソコンの初心者が行うことは難しい。【００４４】一般的にＷＥＢメールと呼ばれているサービスで、ＷＥＢブラウザで利用することができる電子メールシステムが存在する。受信したメールの閲覧や、新規メッセージの作成・送信などをＷＥＢブラウザでのみ行うことができる。通常のメールと違ってすべてのメッセージをサーバ側で管理するため、ＷＥＢブラウザが実行でき、かつインターネットに接続可能な環境であれば、メールをチェックしたり過去のメールを参照したりできる反面、やはリューザがユーザＩＤとパスワードの初期設定や、利用毎に設定したユーザＩＤとパスワードの入力を行う必要があった。そのため、ユーザがユーザＩＤやパスワードを忘れる問題や、ＷＥＢブラウザで操作を行うため、クッキー情報などの個人情報が残る問題などが指摘されていた。【００４５】本発明によるシステムでは、データベースシステム４上に、予めデバイスＩＤ毎に準備されたメールアカウント情報であるデバイスメールアカウント情報を格納している。その情報は、Ａｕｔｏｒｕｎが着脱式デバイス１に格納されているデバイス情報・認証情報をセンターサーバ３に送信し、所定の認証処理を行った後、認証がＯＫであればセンターサーバ３より取得することができる。Ａｕｔｏｒｕｎは、取得したデバイスメールアカウント情報を用いて、メール機能を使うことができる、
すなわち、ユーザは、メールに関する初期設定をまったく行うことなくメール機能の利用を開始できる。また、前記デバイスメールアカウント情報に加えて、その他のメールアカウント情報を追加登録・設定することにより、デバイスに特化し予め準備されたデバイスメールアカウント情報に加えて、その他の、例えばユーザが今まで利用していたメールアカウント情報を、前記Ａｕｔｏｒｕｎが取得することにより、複数のメールアカウントのメールサービスを利用することも可能である。【００４６】また、本発明によるプログラムでは、メールアカウント情報は、サーバ上に格納され、パソコン上にメールアカウント情報を保存する必要がないため、メールアカウント情報が設定されていないパソコン（例えばユーザが初めて使うパソコン）であっても、前記デバイスメールアカウント情報によるメールサービスと、さらに、その他のメールアカウント情報によるメールサービスを利用することできる。さらに前述したＷＥＢメールと異なり、ＷＥＢブラウザを利用していないので、クッキーファイルなどの個人情報を含むキャッシュファイルがパソコンに残る問題が発生しない。【００４７】尚、デバイスメールアカウント情報は、ユーザアカウントをデバイス情報から取得し、メールパスワードは認証情報から取得し、ＳＭＴＰサーバ・ＰＯＰサーバをセンターサーバ３とすることも可能である。【００４８】ユーザがメイン画面（図３）のメニュー枠９のメール機能に関連付けされた領域をクリックすると、メール機能画面（図示せず）を表示する。ユーザはメール機能画面に対し、所定の操作を行うことにより、メール送受信、メール作成、メール返信、メール転送などを実施できる。受信したメールデータは、キャッシュファイル、またはメモリ上に配置され、それらのデータは、Ａｕｔｏｒｕｎが終了する際にＡｕｔｏｒｕｎが自動的に消去する。従って、利用したパソコン上に受信したメールの情報を残さないため安全なメール作業ができる。保存しておきたい情報（例えば添付ファイル等）は、通常のメーラーと同様、所定の操作を行うことでパソコン上に保存することができる。この場合、後述するセキュリティ機能により暗号化をした上で保存することも可能である。また、後述するファイル共有システムにより、添付されたファイルをグループ間で共有することも可能であり、また、後述するポストビット（電子付箋紙）機能により、例えばメール本文の一部の情報をグループ間で共有することも可能である。また、メールを送信するために必要なアドレス帳（名前、メールアドレス、電話番号など）の情報をセンターサーバ３に登録し、その情報を利用してメール宛先設定などを行うことができる。またアドレス帳の情報は、ユーザが所属するグループのその他のユーザと共有することが可能である。【００４９】メール本文が表示されている部分を選択し、右クリックし、所定のメニューを選択することにより、事前に登録されている自分の携帯電話（又はＰＤＡ）に、選択された文字列を送信することができる。このように、テキスト情報はもちろん、ファイル情報、画像情報、動画情報、ファイル情報、バーコード情報、アドレス情報などを事前に登録された自分の携帯電話（又はＰＤＡ）に送信することを当該システムでは、モバイルジャンプと呼ぶ。当該機能は、例えば受信したメールに含まれる訪問先の住所や電話番号などの情報を、自分の携帯電話（又はＰＤＡ）にメモ代わりに送信したい場合に利用することが考えられる。携帯電話（又はＰＤＡ）に送信する方法として、例えばパソコン２と携帯電話（又はＰＤＡ）とを、有線接続又は無線接続して直接的に通信を行う方法と、所定のサーバ（例えばメールサーバーやＷＥＢサーバ等）を介して送信する方法とが考えられる。【００５０】以下、どこでもフォルダについて説明する。どこでもフォルダとは、本発明によるデバイスを用いて、インターネット上に用意されたディスクスペース（データ保管庫）を利用する機能であり、ユーザが作成した文書や画像などデータを保存したり、グループ化されたユーザ間で共有出来るサービスである。【００５１】メイン画面（図３）のメニュー枠９の、どこでもフォルダに関連付けされた領域をクリックすると、図３上の作業枠１０に示しているようなグラフィック要素が表示される。該作業枠の左側にデータスペースのツリー構造情報を示す領域と、該作業枠の右側にファイル情報を示す領域と、を有する。ここで示す情報は、ネットワークを経由したセンターサーバ３上のディスクスペースの情報である。【００５２】まず、所定のタイミングでＡｕｔｏｒｕｎがセンターサーバ３に少なくともデバイスＩＤとファイル一覧情報要求コマンドを送信する。前記ファイル一覧情報要求コマンドを受信したセンターサーバ３は、受信したデバイスＩＤに対して割り振られている所定のディスクスペースに存在するファイル一覧情報（例えばツリー構造情報、ファイル名一覧情報、ディレクトリ名一覧情報、ファイル属性情報等）を取得する。さらに、センターサーバ３は、データベースシステム４から、受信したデバイスＩＤに関連付けされたグループのグループ共有情報を取得する。前記グループ共有情報は、共有許可されたディスクスペースの所在地を示すパス情報と、ディスクスペース共有名と、共有を許可するグループ又はユーザの情報を示す共有対象情報と、ディスクスペースに対し所定の処理（読取・書込・実行等）を実施できるかどうかを示す実行権限情報などから成る。センターサーバ３は、取得した前記グループ共有情報から、受信したデバイスＩＤに対し、共有許可されているディスクスペース情報が存在すれば、そのディスクスペース情報に存在するファイル一覧情報（共有ファイル一覧情報と呼ぶ）をも取得する。センターサーバ３は、取得したファイル一覧情報と、共有ファイル一覧情報と、をＡｕｔｏｒｕｎに送信する。【００５３】Ａｕｔｏｒｕｎでは、受信した前記ファイル一覧情報と共有ファイル一覧情報に基づいて、前記ツリー構造情報を示す領域と、前記ファイル情報を示す領域のグラフィック要素を変化させる。この際、前記ツリー構造情報を示す領域では、受信した情報の内、ファイル一覧情報と共有ファイル一覧情報とを異なった位置に表示する。例えば、図３に示す作業枠で説明すると、受信したファイル一覧情報はＴ１に、共有ファイル一覧情報をＴ２にそれぞれ表示される。【００５４】Ａｕｔｏｒｕｎは、ユーザが行う所定の操作により、必要に応じて前記ファイル一覧情報と、共有ファイル一覧情報を、センターサーバ３より取得し、Ａｕｔｏｒｕｎのグラフィック要素を前記ファイル一覧情報と、共有ファイル一覧情報に基づき、変化させ、ディスクスペースの諸情報を視覚的にユーザに伝達する。【００５５】ユーザがダウンロードしたい対象ファイルＡをダウンロードする手順を図３を例に説明する。所定のディスクスペースに存在するファイル一覧情報が作業枠に表示されている。ユーザは対象ファイルＡを示すアイコンを選択し、メイン画面（図３）の外にドラッグアンドドロップをすることで、所定のディスクスペースに存在する対象ファイルＡを、パソコン２にダウンロードすることができる。【００５６】またパソコン２に存在するファイルを選択し、メイン画面（図３）のどこでもフォルダ機能に関連付けされた領域にドラッグアンドドロップすることでアップロードすることが可能である。また、所定のディスクスペースに存在するファイルを選択し、ダブルクリックすることで、選択されたファイルをパソコン２上に一時的なファイルとしてダウンロードし、ダウンロードしたファイルに関連付けされたパソコン２に存在するアプリケーションを用いてファイルを開くことができる。このとき、ダウンロードしたファイルに関連付けされたアプリケーションがパソコン２に存在しなければ、例えばセンターサーバ３を介して、アプリケーション情報を取得し、ファイルを開くのに必要なアプリケーションを取得（ダウンロード・インストール）する、又はそのアプリケーションを公開・販売・管理している企業等のＷＥＢサイトをブラウザで表示することが考えられる。後者の場合、サイトにアクセスする際のパラメータに、デバイスＩＤを含む諸情報を合わせて送信することにより、例えば有料アプリケーションの決済への応用、又はアクセス解析への応用などが考えられる。【００５７】またＡｕｔｏｒｕｎは、ユーザの所定の操作によりダウンロードするファイル、又はアップロードするファイルについて、コンピュータウイルスなど危険なスクリプトが含まれていないかをチェックする機能を備えることも考えられる。【００５８】上記機能のほか、ディスクスペースに存在するファイル情報を検索・削除・名前変更する機能や、所定の共有許可されたディスクスペースに、所定のイベントが発生した場合（例えばファイルが新規にアップロードされた時）には、所定のグループに所属するユーザに対して、イベント発生通知を行う機能が考えられる。前記イベント発生通知の方法としては、所定の電子メールでの通知、後述するポストビットでの通知、メイン画面（図３）の所定の領域に表示する通知、又はＡｕｔｏｒｕｎが起動している状態で所定の音声情報を出力する通知、などが考えられ、それらの方法の内、少なくともひとつ以上の方法を用いて、所定のユーザにイベント発生を通知する。【００５９】また、第１のユーザが、グループに所属していない第３のユーザに対し、所定のディスクスペースに存在するファイル情報を閲覧させたいと所望する場合、第１のユーザが所定の操作を行うことにより、閲覧したいファイル情報のコピーを、センターサーバ３の公開可能な記憶領域に設置し、その情報を閲覧するために必要なＵＲＬコードなどの情報を第１のユーザが取得することができ、その情報を少なくとも第３のユーザに、電子メールやその他の通知方法により通知でき、第３のユーザは、通知されたＵＲＬコードなどの情報を用いて、パソコン又はＷＥＢ機能付きの携帯電話などからアクセスすることでファイルを閲覧する機能が考えられる。【００６０】その他、前記どこでもフォルダ機能により表示された所定のファイルを選択し、その情報をドラッグアンドドロップ操作により、前記メール機能に関連付けされた所定の領域にドラッグアンドドロップすることにより、メール機能画面が起動し、ディスクスペース上に存在するファイルが添付ファイルとして設定されたことを示すアイコンを表示する。ユーザがメール送信ボタンを押下すると、方法の１として、選択されたファイルをダウンロードし、キャッシュファイルとして一時的にパソコン２に保存する。その後、所定のキャッシュファイルを、通常のメール添付処理と同様にメールサーバーに対して送信処理を行い、その後、該キャッシュファイルを削除する方法と、方法の２として、方法の１のようにファイルを一旦ダウンロードをすることなく、ユーザは、メール件名と宛先と本文と添付したいファイルの管理情報（例えばファイル名、パス情報など）とその他の情報をセンターサーバ３に送信する。センターサーバ３では、これを受信し、添付したいファイルの情報を解析し、所定のディスクスペースに存在するファイルを添付用ファイルとして取得し、ユーザが宛先に設定した所定のメールアカウントに対して、件名と、本文と、添付用ファイルとを送信する。後者の方法は、パソコン２に一旦ダウンロードするという過程を省略することができるため、通信に必要な時間やネットワークトラフィックを低減することができ、送信時間の短縮に寄与する。【００６１】Ａｕｔｏｒｕｎの提供する一発ログインについて下記に説明する。一発ログインとは、既存のサーバシステムに、ユーザＩＤ・パスワードを入力することなく、ワンクリックで、ログイン対象のサーバシステムにログインできる機能である。現在、認証を必要とするサーバシステム（インターネットバンキングサービス、通信販売ＷＥＢサイトなど）の多くは、予めユーザＩＤとパスワードをユーザに通知又はユーザに設定してもらい、ユーザがログイン前に、ユーザＩＤとパスワードを入力することで、サーバ側で認証を行いログインを許可している。この手法は、ユーザＩＤ・パスワードをユーザが忘れてしまう、または、パスワードなどの個人情報が、利用したパソコンにクッキー情報として残ってしまうこと等が問題であった。【００６２】本発明では、パソコン２に着脱式デバイス１を挿入するだけで、着脱式デバイス１内に格納されたデバイスＩＤや証明書などの情報にもとづいて、センターサーバ３よりログイン情報を取得し、取得したログイン情報と着脱式デバイス内に格納されたデバイスＩＤや証明書等の情報に基づいて、所望のサーバシステムにワンクリックでログインできるグラフィック要素（テキスト・アイコン等）をコンピュータ上に表示することを可能とする。本機能により、ユーザは、ログインが必要なＷＥＢサイト毎のパスワードを特に意識することなく、簡単にログインをすることができる。またパスワードの入力を行うことがないので、盗み見などによるパスワードの心配もなく、またクッキー情報により、パスワード情報が残ることがない。【００６３】ユーザが、メイン画面（図３）のメニュー枠９の一発ログインに関連付けされた領域をクリックすると、メイン画面の作業枠１０に、ＷＥＢサイト名とユーザＩＤが表示されたグラフィック要素であるログインリスト（図４）が表示される。該ログインリストは、デバイスＩＤ毎にデータベースシステム４に登録されているログイン情報に基づき、構成されている。ログイン情報の内、ログインリストに表示する情報はＷＥＢサイト名とユーザＩＤのみであり、その他のログイン情報（ＵＲＬ・パスワード・その他）はグラフィック要素として表示しない。
ユーザは、ログインリストの中から、ログインしたいＷＥＢサイトに該当する行をクリックする。Ａｕｔｏｒｕｎは、クリックされた行に対応するＵＲＬに存在するサーバに対して、ログイン情報を送信することで、ログインを行った上で、所定のセキュアなＷＥＢページをブラウザ又はメイン画面（図３）の所定の領域に表示する。【００６４】以下、セキュリティセンター機能について記述する。メイン画面（図３）のメニュー枠９のセキュリティセンターに関連付けされた領域をクリックすると、メイン画面（図３）の作業枠１０に、図５に示すグラフィック要素を表示する。セキュリティセンターには、概ねファイルロック機能とスクリーンロック機能の２つの機能が存在する。以下それぞれについて説明する。【００６５】以下、ファイルロック機能について説明する。この機能は、デバイス２に内蔵されたデバイス情報や認証情報やセンターサーバ３に存在する情報を用いて、ファイルを暗号化・復号化する機能である。従来の暗号化システムでは、復号化するために必要なパスワードを忘れたりすることが多かったが、本機能は、デバイス２やセンターサーバ３に保存されている情報に基づいて暗号化・復号化処理を行うため、安全なロック機能を実現することが可能であると同時に、ユーザが複雑なパスワードを入力する手間がなくなり、手入力することで発生するパスワード入力作業の覗き見、連想性の高いパスワード設定（誕生日など）による情報漏洩を防ぐことができる。また複雑なパスワードをユーザが常に記憶しておく必要がないため、初心者でも使いやすいシステムとなる。また、グループ化されたユーザにおいて、所定のグループに所属するユーザには復号化できるが、それ以外のユーザには復号化できないという暗号化処理を入れることも考えられる。この場合、暗号化したファイルにユーザＩＤ情報、グループ情報、パスワード情報の一部、鍵情報の一部などを付加することにより実現する。【００６６】ユーザは、暗号化又は復号化するファイルをファイルロック枠１２にドラッグアンドドラップする。Ａｕｔｏｒｕｎは、これを感知し、ドロップ操作されたファイルの属性情報を調べる。その結果、ドロップされたファイルが暗号化済のファイルであれば、復号化し、暗号化されていないファイルであれば、暗号化を行う。暗号化の方法としてＤＥＳ暗号化アルゴリズム、ＭＤ４、ＭＤ５、ラインダールなどが考えられる。また、暗号化されたファイルには、所定の暗号化情報（暗号化方法、拡張子情報、ファイル名、暗号化日付、暗号化したユーザ情報）を付加することも考えられる。【００６７】復号化の場合には、暗号化した方法に対応した復号方法を用いる。復号化に用いる情報（例えばパスワード情報、鍵情報、証明書情報など）は、デバイス２内部又はセンターサーバ３上に格納されており、Ａｕｔｏｒｕｎは、その情報を取得することで復号化を行う。暗号化したファイルは、暗号化されたファイルであることを示す意味で、例えば拡張子情報やアイコン情報を変化させることが考えられる。
また、暗号化処理の中で、暗号化対象であるファイル情報を、暗号化した上で分割し、一部をパソコン２に、一部をセンターサーバ３格納しておき、復号化する際には、分割暗号された復号対象ファイルであることをＡｕｔｏｒｕｎが識別し、もう一方の分割ファイルをセンターサーバ３より取得し、パソコン２に存在する復号対象ファイルと結合した上で、復号化する手法なども考えられる。【００６８】また、パソコン２上に存在する所定のファイル又はディレクトリを、Ａｕｔｏｒｕｎ起動時に、自動的に復号化し、Ａｕｔｏｒｕｎ終了時に、自動的に暗号化する機能も考えられる。【００６９】以下、スクリーンロック機能について説明する。この機能をオンにすることで、デバイスを抜いた時には、ロック画面（図６）が表示され、パソコンの通常の画面を見ることができないと同時にマウス・キーボードで操作を無効にする。パソコンで作業している時、少しの時間だけ席をはずしたいというユーザにとっては、当該デバイスを抜いてから、再びデバイスを挿すまでの間、本機能によりデバイスと持つ当人以外のユーザがパソコンを操作することができなくなるため、情報漏洩を防止することができる。【００７０】本機能では、ロック画面を表示する手法のほか、例えばＯＳがウインドウズ（登録商標）であれば、ログオフの実施、スクリーンセーバーを起動させる、シャットダウンの実施なども考えられる。【００７１】本発明によるプログラムでは、各デバイスが個々のデバイスを識別可能なデバイスＩＤを持つことにより、当該デバイスを所有するユーザを識別でき、第１のユーザが所属する所定のグループがあり、該グループに所属する一人又は複数の第２のユーザと、文書情報（ファイル情報、テキスト情報、カレンダ・スケジュール情報、アドレス帳情報、ＵＲＬ情報、システム情報、証明書情報、暗号・復号化に関する情報、画像情報、音声情報、動画情報等）を共有することが可能である。従来の文書情報共有システムでは、システム利用時には、ユーザＩＤとパスワードの入力が必要であったが、本提案によるシステムでは、にユーザＩＤとパスワードを入力する必要がないため、初心者にとって非常に使いやすいシステムとなる。例えばファイル情報を共有する好適な機能の一例が前述したどこでもフォルダである。【００７２】カレンダ機能では、ユーザまたは所定のグループのスケジュールを表示・設定・修正・削除をすることができる。また、スポンサのイベント情報を所定のグループやユーザのカレンダ情報として表示することができる。その広告情報にハイパーリンク機能を組み込みことで、イベント用に開設されたＷＥＢサイトのＵＲＬをブラウザで表示するなどの機能も考えられる。また、所定のイベントのイベント情報（日時、場所、時間）、入場バーコード情報、クーポンチケット情報、抽選プレゼント番号などを前述したモバイルジャンプ機能により、簡単にユーザの携帯電話（又はＰＤＡ）に送信することで、イベントへの誘導も容易に行うことができる。【００７３】以下、ポストビット機能について説明する。本機能は、センターサーバ３の所定の領域に格納されている、主として表示テキスト情報と、グラフィック領域の大きさ情報と、表示座標情報と、表示色情報と、フォント設定情報と、共有情報と、可否・不可視情報と、通知情報と、から成るポストビット情報を取得し、パソコン２上に、付箋紙を模した表示形態で表示するものである。一例を図７に示す。図７において、Ｐ１〜Ｐ３がポストビット機能による表示である。Ｐ１からＰ３に示すポストビット機能による表示は、その表示位置をユーザが任意に設定できる。また表示枠の大きさも設定が可能である。さらに前記ポストビット情報は、所定のグループに所属するユーザ同士が共有することも可能である。例えば第１のユーザが、所定の電子付箋紙（ポストビット）を作成し、その付箋紙を第２のユーザと共有したい場合、まず、第１のユーザは、基本的な電子付箋紙（ポストビット）を作成する。作成には、まずメイン画面（図３）のメニュー枠９のポストビットに関連付けされたグラフィック要素をクリックする。結果、作業枠１０にポストビット入力画面（図示せず）が表示される。第１のユーザは、表示テキスト情報を少なくとも入力し、さらに誰と共有するかを示す共有情報を設定する。共有情報を設定しない場合は、第１のユーザのみが閲覧できる電子付箋紙（ポストビット）となる。共有情報の設定には、共有可能なユーザとグループの一覧が表示可能なアドレス帳を表示して、共有したいユーザ又はグループを選択する方法が考えられる。作成された電子付箋紙（ポストビット）情報は、センターサーバ３に送信され、センターサーバ３上でポストビット情報として格納される。さらに、ポストビット情報に含まれる共有情報に示された第２のユーザに割り振られた所定のディスクスペースに、共有ポストビット情報を作成する。前記共有ポストビット情報は、第２のユーザがＡｕｔｏｒｕｎを起動した際に、第２のユーザがＡｕｔｏｒｕｎを起動したパソコン上に表示される。また、第１のユーザが設定した前記ポストビット情報の内、通知情報の設定により、第１のユーザが、電子付箋紙（ポストビット）情報を作成し、その情報をセンターサーバ３が受信した際に、所定の通知（例えば、第２のユーザの所定のメールアドレスに通知）を行うことが可能である。また、第２のユーザが、共有ポストビット情報に基づく電子付箋紙（ポストビット）の内容を確認した時点で、所定の操作を行うことで、第２のユーザによって確認された電子付箋紙（ポストビット）は、不可視にすることもでき、第２のユーザによって確認されたという確認済情報が、第１のユーザに対し、所定の通知方法で通知する。【００７４】本形態で説明した内容において、Ａｕｔｏｒｕｎと、センターサーバ３とで通信する際、送信側が圧縮処理し送信サイズを小さくした上で送信し、受信側は、これを受信し解凍処理を実施した上で所定の処理を行うことが考えられる。また、Ａｕｔｏｒｕｎと、センターサーバ３と、又はその他サーバ５と、が所定の情報を通信する際に、その情報をデバイス１に格納されたデバイス情報、認証情報、またはセンターサーバ３に存在する情報、又はその他の所定のサーバに存在する情報の少なくとも一つを用いて、所定の暗号化手法により暗号化した上で送信することが考えられる。これを受信した側では、暗号化した手法に対応した手法を用いて復号化する、又は復号化せずそのまま所定の処理（例えば所定の領域に保存）を行うことが考えられる。前述した、圧縮・解凍処理と、暗号化・複合化処理とは、いずれか一方の処理のみではなく、その両方の処理が実施されることが考えられる。
【図面の簡単な説明】
【００７５】
【図１】本形態の概略構成を示す機能ブロック図である。
【図２】暗証情報入力画面のグラフィック要素を示す図である。
【図３】メイン画面のグラフィック要素を示す図である。
【図４】ログインリストのグラフィック要素を示す図である。
【図５】セキュリティセンターのグラフィック要素を示す図である。
【図６】ロック画面のグラフィック要素を示す図である。
【図７】ポストビット機能により、付箋紙を模した表示形態でパソコン２上に表示した例を示す図である。
【符号の説明】
【００７６】１    着脱式デバイス
２    パソコン
Ｎ    ネットワーク
３    センターサーバ
４    データベースシステム
５    その他サーバ
６    暗証情報入力枠
７    認証ボタン
８    スポンサ枠
９    メニュー枠
１０  作業枠
１１  スポンサ広告枠Ｂ
１２  ファイルロック枠
１３  スクリーンロック枠
Ｐ１からＰ３  ポストビット機能による表示
Ｔ１  ファイル一覧情報を表示する領域
Ｔ２  共有ファイル一覧情報を表示する領域
【図１】
2006072952.tif 000005
【図２】
2006072952.tif 000006
【図３】
2006072952.tif 000007
【図４】
2006072952.tif 000008
【図５】
2006072952.tif 000009
【図６】
2006072952.tif 000010
【図７】
2006072952.tif 000011